(57)【要約】【課題】取扱いが容易な陳列装置を提供する。【解決手段】陳列装置は、一方の面に陳列部２０が設けられた本体部３１と、本体部３１の一方の対向辺に接続された２つの第１開閉部４０と、本体部３１の他方の対向辺のうち一方に接続された第２開閉部５０と、本体部３１の他方の対向辺のうち他方に接続された訴求側部片６１と、訴求側部片６１に接続され本体部３１の面が訴求面６２ａである訴求片６２と、を有する訴求開閉部６０と、第１開閉部４０が本体部３１に対して回転しないようにロックするロック部とを備え、第１開閉部４０、第２開閉部５０、訴求開閉部６０が本体部３１の一方の面の側に回転され、ロックされることにより、折り畳み状態の陳列部２０を収容し、第１開閉部４０、第２開閉部５０が本体部３１の他方の面の側に回転され、ロックされることにより、訴求片６２の訴求面、陳列状態の陳列部２０を露出させる。【選択図】図１
2015150048.tif 000002
【特許請求の範囲】
【請求項１】
折り畳み状態及び陳列状態の間で変形する陳列部と、
一方の面に前記陳列部が設けられた本体部と、
前記本体部の一方の対向辺の２つにそれぞれ回転可能に接続され折り畳み状態の前記陳列部を収容可能な長さを有する第１側部片と、前記第１側部片に対して回転可能に接続された第１カバー片と、を有する２つの第１開閉部と、
前記本体部の他方の対向辺のうち一方に対して回転可能に接続され折り畳み状態の前記陳列部を収容可能な長さを有する第２側部片と、前記第２側部片に対して回転可能に接続された第２カバー片と、を有する第２開閉部と、
前記本体部の他方の対向辺のうち他方に対して回転可能に接続され折り畳み状態の前記陳列部を収容可能な長さを有する訴求側部片と、前記訴求側部片に対して回転可能に接続され前記本体部の側が訴求面である訴求片と、を有する訴求開閉部と、
前記２つの第１開閉部の間を係合させることにより、前記２つの第１開閉部が前記本体部に対して回転しないようにロックするロック部とを備え、
前記２つの第１開閉部、前記第２開閉部、前記訴求開閉部が前記本体部の一方の面の側に回転され、前記ロック部がロックすることにより、折り畳み状態の前記陳列部を収容し、
前記２つの第１開閉部、前記第２開閉部が前記本体部の他方の面の側に回転され、前記ロック部がロックし、前記訴求開閉部を開いた状態にすることにより、前記訴求片の前記訴求面、陳列状態の前記陳列部を露出させること、
を特徴とする陳列装置。
【請求項２】
請求項１に記載の陳列装置において、
前記ロック部は、
２つの第１開閉部の一方に設けられたスリットと、
２つの第１開閉部の他方に設けられ、前記スリットに挿入される挿入片とを備えること、
を特徴とする陳列装置。
【請求項３】
請求項１又は請求項２に記載の陳列装置において、
前記本体部に取り付けられた吊り紐を備え、
前記訴求片は、前記本体部から他方の面の側に通された吊り紐を、一方の面の側に通す通し孔を備えること、
を特徴とする陳列装置。
【発明の詳細な説明】
【技術分野】
【０００１】
本発明は、陳列物を陳列する陳列装置に関するものである。
【背景技術】
【０００２】
従来、輸送時等に折り畳んだ状態とし、陳列時に組み立てる陳列台があった（例えば特許文献１）。
しかし、従来の陳列台は、折り畳んだ状態において、板材が開いてしまう可能性があり、取り扱いが悪かった。
【先行技術文献】
【特許文献】
【０００３】
【特許文献１】特開２０１１−８３４６８号公報
【発明の概要】
【発明が解決しようとする課題】
【０００４】
本発明の課題は、取扱いが容易な陳列装置を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、折り畳み状態及び陳列状態の間で変形する陳列部（２０，２２０）と、一方の面に前記陳列部が設けられた本体部（３１）と、前記本体部の一方の対向辺の２つにそれぞれ回転可能に接続され折り畳み状態の前記陳列部を収容可能な長さを有する第１側部片（４１）と、前記第１側部片に対して回転可能に接続された第１カバー片（４２）と、を有する２つの第１開閉部（４０）と、前記本体部の他方の対向辺のうち一方に対して回転可能に接続され折り畳み状態の前記陳列部を収容可能な長さを有する第２側部片（５１）と、前記第２側部片に対して回転可能に接続された第２カバー片（５２）と、を有する第２開閉部（５０）と、前記本体部の他方の対向辺のうち他方に対して回転可能に接続され折り畳み状態の前記陳列部を収容可能な長さを有する訴求側部片（６１）と、前記訴求側部片（６２）に対して回転可能に接続され前記本体部の側の面が訴求面（６２ａ）である訴求片（６２）と、を有する訴求開閉部（６０）と、前記２つの第１開閉部の間を係合させることにより、前記２つの第１開閉部が前記本体部に対して回転しないようにロックするロック部（４３，４４）とを備え、前記２つの第１開閉部、前記第２開閉部、前記訴求開閉部が前記本体部の一方の面の側に回転され、前記ロック部がロックすることにより、折り畳み状態の前記陳列部を収容し、前記２つの第１開閉部、前記第２開閉部が前記本体部の他方の面の側に回転され、前記ロック部がロックし、前記訴求開閉部を開いた状態にすることにより、前記訴求片の前記訴求面、陳列状態の前記陳列部を露出させること、を特徴とする陳列装置である。
・第２の発明は、第１の発明の陳列装置において、前記ロック部は、２つの第１開閉部の一方（４２）に設けられたスリット（４３）と、２つの第１開閉部の他方（４２）に設けられ、前記スリットに挿入される挿入片（４４）とを備えること、を特徴とする陳列装置である。
・第３の発明は、第１又は第２の発明の陳列装置において、前記本体部（３１）に取り付けられた吊り紐（７０）を備え、前記訴求片（６２）は、前記本体部から他方の面の側（Ｙ２）に通された吊り紐を、一方の面の側（Ｙ１）に通す通し孔（６２ｂ）を備えること、を特徴とする陳列装置である。
【発明の効果】
【０００７】
本発明によれば、取扱いが容易な陳列装置を提供できる。
【図面の簡単な説明】
【０００８】
【図１】第１実施形態の陳列装置１０の露出状態の斜視図である。
【図２】第１実施形態の陳列装置１０の収容状態の斜視図である。
【図３】第１実施形態の陳列装置１０の横断面図である。
【図４】第１実施形態の陳列装置１０の縦断面図である。
【図５】第１実施形態のフック２１の取り付け構造を説明する三面図である。
【図６】第１実施形態の取り付け板２２と、スペーサ２３と、展開した箱体３０とを示す図である。
【図７】第１実施形態の陳列装置１０を展開した状態から、組み立てる工程を説明する斜視図である。
【図８】第２実施形態の陳列装置２１０の斜視図である。
【図９】第２実施形態の陳列装置２１０の組み立て工程を説明する図である。
【図１０】第２実施形態の陳列装置２１０の組み立て工程を説明する図である。
【図１１】第２実施形態の陳列装置２１０の組み立て工程を説明する図である。
【発明を実施するための形態】
【０００９】
（実施形態）
以下、図面等を参照して、本発明の実施形態について説明する。
（第１実施形態）
図１は、第１実施形態の陳列装置１０の露出状態の斜視図である。
図１（Ａ）は、手前側Ｙ１から見た斜視図である。
図１（Ｂ）は、奥側Ｙ２から見た斜視図である。
図２は、第１実施形態の陳列装置１０の収容状態の斜視図である。
図２（Ａ）は、手前側Ｙ１から見た斜視図である。
図２（Ｂ）は、奥側Ｙ２から見た斜視図である。
図３は、第１実施形態の陳列装置１０の横断面図である。
図３（Ａ）は、露出状態である。図３（Ｂ）は、収容状態である。
図４は、第１実施形態の陳列装置１０の縦断面図である。
図４（Ａ）は、露出状態である。図４（Ｂ）は、収容状態である。
図５は、第１実施形態のフック２１の取り付け構造を説明する三面図である。
図５（Ａ）は、フック２１を取り付ける前の係合孔２２ａを手前側Ｙ１から見た図である。
図５（Ｂ）は、フック２１の取り付け構造を手前側Ｙ１から見た図である。
図５（Ｃ）は、フック２１の取り付け構造の縦断面図（図５（Ｂ）のＣ−Ｃ部断面図）である。
図５（Ｄ）は、フック２１の取り付け構造の横断面図（図５（Ｂ）のＤ−Ｄ部断面図）である。
図６は、第１実施形態の取り付け板２２と、スペーサ２３と、展開した箱体３０とを示す図である。
【００１０】
実施形態、図面では、説明と理解を容易にするために、ＸＹＺ直交座標系を設けた。この座標系は、図１（Ａ）の状態を基準に陳列装置１０の縦方向Ｚ、左右方向Ｘ、厚さ方向Ｙを表す。
【００１１】
図１に示すように、陳列装置１０は、箱状の装置である。
図１、図３（Ａ）、図４（Ａ）に示すように、陳列装置１０は、露出状態において、店舗等の壁１（設置壁）に吊り下げて、フック２１に商品（陳列物）を吊り下げて陳列する装置である。陳列装置１０が吊り下げられた状態において、陳列装置１０の縦方向Ｚは、鉛直方向に平行である。
図２、図３（Ｂ）、図４（Ｂ）に示すように、陳列装置１０は、収容状態において、陳列部２０を収容できる。陳列装置１０は、収容状態において、保管、運搬されたりして、流通経路に乗せられる。
【００１２】
図４に示すように、陳列装置１０は、陳列部２０、箱体３０、吊り紐７０を備える。
陳列部２０は、箱体３０の本体部３１（後述する）に設けられている。
陳列部２０は、フック２１、取り付け板２２、スペーサ２３を備える。
フック２１は、左右方向Ｘに２列、縦方向Ｚに３列、合計６つ設けられている（図１（Ａ）参照）。
フック２１は、実際に、陳列物を陳列するための部材である。
フック２１は、軸体２１ｂ、上係合爪２１ｃ、下係合爪２１ｄを備える。
軸体２１ｂは、フック２１の根元部２１ａに、開状態及び閉状態の間で回転可能に設けられている（図１（Ａ）に示す矢印Ａ１参照）。
【００１３】
開状態は、軸体２１ｂの軸方向が厚さ方向Ｙに平行に配置された状態である。フック２１の開状態は、ロック機能（図示せず）により、安定して維持される。実施形態では、陳列部２０の陳列状態とは、フック２１が開状態の状態をいう。
閉状態は、軸体２１ｂが取り付け板２２側に倒されて、軸体２１ｂの軸方向が縦方向Ｚに平行に配置された状態である。実施形態では、陳列部２０の折り畳み状態とは、フック２１が閉状態の状態をいう。
上係合爪２１ｃ、下係合爪２１ｄは、フック２１を取り付け板２２に取り付けるための部分である。上係合爪２１ｃ、下係合爪２１ｄは、根元部２１ａに設けられている。
【００１４】
取り付け板２２、スペーサ２３は、箱体３０の本体部３１に手前側Ｙ１からこの順に積層されている。取り付け板２２、スペーサ２３は、例えば紙の板材である。左右方向Ｘ及び縦方向Ｚにおいて、取り付け板２２及びスペーサ２３の大きさは、等しく、また、本体部３１の外形よりも一回り（例えば数ｍｍ程度）小さい（図１（Ａ）参照）。これは、取り付け板２２及びスペーサ２３を箱体３０の内部に収容できるようにするためである。
取り付け板２２は、フック２１を取り付けるための板材である。
取り付け板２２は、係合孔２２ａ、紐通し孔２２ｂを有する。
係合孔２２ａは、フック２１の取り係合爪２１ｃ，２１ｄに係合するための開口孔である。係合孔２２ａは、フック２１の取り付け位置に対応した位置に配置されており、６か所設けられている（図６参照）。
【００１５】
図５に示すように、左右方向Ｘ及び縦方向Ｚにおいて、係合孔２２ａの大きさと、フック２１の根元部２１ａの外形の大きさとは、等しい（長さＬ２２ａＸ，Ｌ２２ａＺ参照）。これにより、係合孔２２ａは、フック２１の根元部２１ａが挿入されることにより、左右方向Ｘ及び縦方向Ｚにおいて、フック２１を位置決めする。
図４に示すように、紐通し孔２２ｂは、吊り紐７０を通すための孔である。紐通し孔２２ｂは、取り付け板２２の上側Ｚ２の領域のうち左右端部に設けられている。
【００１６】
スペーサ２３は、逃げ孔２３ａ、紐通し孔２３ｂを有する。
逃げ孔２３ａは、厚さ方向Ｙにおいて、係合爪２１ｃ，２１ｄの厚みを逃げるための孔である。
なお、スペーサ２３の厚みは、係合爪２１ｃ，２１ｄが本体部３１に干渉しないように設定されている。スペーサ２３は、複数枚重ねたり、１枚の紙材を折り畳むことにより、必要な厚みになるようにしてもよい。
紐通し孔２３ｂは、取り付け板２２の紐通し孔２２ｂに通された吊り紐７０を、さらに、上側Ｚ２に通す部分である。紐通し孔２３ｂは、紐通し孔２２ｂに対応した領域に設けられている。
【００１７】
フック２１の取り付け方法は、フック２１の上係合爪２１ｃを取り付け板２２の係合孔２２ａの上部に引っ掛けてから、フック２１を回転させて下係合爪２１ｄを撓ませながら、下係合爪２１ｄを係合孔２２ａの下部に引っ掛ける。これに応じて、フック２１の根元部２１ａと、上係合爪２１ｃ及び下係合爪２１ｄとは、取り付け板２２を挟み込む。これにより、フック２１は、厚さ方向Ｙにおいて位置決めされる。また、前述した通り、フック２１は、左右方向Ｘ及び縦方向Ｚにおいて位置決めされる。
なお、上係合爪２１ｃには、軸体２１ｂに商品を吊り下げた場合に、下係合爪２１ｄよりも大きな力が加わる。このため、上係合爪２１ｃは、下係合爪２１ｄよりも縦方向Ｚの長さが長く形成され、係合孔２２ａから脱落しないようになっている。
【００１８】
箱体３０は、陳列部２０の陳列、収容に用いる箱である。
図６（Ｃ）に示すように、箱体３０は、いわゆる奴式（又はたとう式）と称される厚さの薄い箱である。つまり、箱体３０は、本体部３１の周囲４辺に対して、開閉片である２つの第１開閉部４０と、第２開閉部５０と、訴求開閉部６０とが接続された形態である。箱体３０は、１枚の段ボール等によって形成される。
本体部３１の外形は、縦方向Ｚに細長い長方形である。本体部３１の一方の面３１ｃには、陳列部２０が設けられる。
本体部３１は、紐通し孔３１ｂを備える。
紐通し孔３１ｂは、吊り紐７０を通す貫通孔である。紐通し孔３１ｂは、取り付け板２２の紐通し孔２２ｂに対応した領域に設けられている。
【００１９】
第１開閉部４０は、第１側部片４１、第１カバー片４２、スリット４３、挿入片４４を備える。
第１側部片４１は、本体部３１の縦方向Ｚに平行な２つの長辺部３１ａ（本体片の一方の対向辺）に対して、ヒンジによって左右方向Ｘに回転可能に接続されている。なお、各ヒンジは、段ボールに押し罫、ハーフカット、ミシン目等を加工することにより設けられる。図６では、この押し罫等を二点鎖線で図示する。
第１側部片４１の高さＬ４１は、折り畳み状態の陳列部２０の厚みよりも大きい。
【００２０】
第１カバー片４２は、第１側部片４１に対して、ヒンジによって左右方向Ｘに回転可能に接続されている。
左右の２つの第１カバー片４２は、閉じた状態で重なるような長さである（図２（Ａ）参照）。このため、陳列装置１０が収容状態の形態では、陳列部２０が露出しない。これにより、陳列装置１０は、陳列部２０をより確実に保護できる。
【００２１】
スリット４３は、一方の第１カバー片４２に設けられた細長い穴である。スリット４３の上側Ｚ２及び下側Ｚ１の領域、つまり上下の長辺部３１ａ側（他方の対向辺側）の２つの領域にそれぞれ設けられている。スリット４３の長手方向は、縦方向Ｚに平行である。スリット４３の一部は、湾曲している。これにより、挿入された挿入片４４は、より確実に保持される。なお、図６以外の図面では、この湾曲部の図示を省略した。
挿入片４４は、他方の第１カバー片４２に設けられている。第１カバー片４２から左右方向Ｘに突出するように設けられている。挿入片４４の縦方向Ｚの長さと、スリット４３の縦方向Ｚの長さは、等しい。挿入片４４のコーナには、スリット４３に挿入しやすくするための面取りがされている。なお、図６以外の図面では、この面取りの図示を省略した。
後述するように、上記スリット４３及び挿入片４４は、スリット４３に挿入片４４が挿入されることにより、２つの第１開閉部４０が本体部３１に対して回転しないようにロックするロック部を形成する。
【００２２】
第２開閉部５０は、第２側部片５１、第２カバー片５２を備える。
第２側部片５１は、本体部３１の下側Ｚ１の辺部３１ｄ（他方の対向辺のうち一方）に対して、ヒンジによって縦方向Ｚに回転可能に接続されている。
第２側部片５１の高さＬ５１は、折り畳み状態の陳列部２０の厚みよりも大きい。
第２カバー片５２は、第２側部片５１に対して、ヒンジによって縦方向Ｚに回転可能に接続されている。
【００２３】
訴求開閉部６０は、訴求側部片６１、訴求片６２を備える。
訴求側部片６１は、本体部３１の上側Ｚ２の辺部３１ｅ（他方の対向辺のうち他方）に対して、ヒンジによって縦方向Ｚに回転可能に接続されている。
訴求側部片６１の高さＬ６１は、折り畳み状態の陳列部２０の厚みよりも大きい。
【００２４】
訴求片６２は、訴求側部片６１に対して、ヒンジによって縦方向Ｚに回転可能に接続されている。
訴求片６２は、訴求面６２ａ、紐通し孔６２ｂを有する。
訴求面６２ａは、訴求片６２の面のうち陳列部２０側（本体部の一方の面の側）である。つまり、訴求面６２ａは、陳列装置１０が露出状態において、手前側Ｙ１の面である。
訴求面６２ａは、訴求領域が設けられている。
訴求領域は、商品の品名、説明等のように、消費者の購買意欲に働きかける印刷（図面には、記号「○△」で図示する）がされた領域である。
訴求領域は、訴求面６２ａの全面に設けてもよいし、紐通し孔６２ｂを避けた領域に設けてもよい。
紐通し孔６２ｂは、吊り紐７０を通す２つの貫通孔である。紐通し孔６２ｂは、訴求片６２の上側Ｚ２であって、左右端部の領域にそれぞれ設けられている。
【００２５】
図１、図４に示すように、吊り紐７０は、露出状態の陳列装置１０を、壁１のフック２等に吊るための部材である。吊り紐７０は、取り付け板２２、スペーサ２３、本体部３１に取り付けられている。
このため、陳列された商品の重量は、吊り紐７０に対して、より直接的に作用する。これにより、陳列装置１０は、より確実に安定して商品を陳列できる。つまり、この形態は、第１開閉部４０、訴求開閉部６０等を吊り紐７０で吊るす場合に比べると、陳列部２０の商品の重量がより直接的に作用するからである。
なお、取り付け板２２、スペーサ２３、本体部３１の間の接着強度が強い場合には、吊り紐７０は、取り付け板２２のみに取り付ける形態にしてもよい。この形態の場合には、取り付け板２２、スペーサ２３の縦方向Ｚの長さを短くしたり、取り付け板２２、スペーサ２３に切り欠きを設けて、取り付け板２２の上側Ｚ２の領域を露出させたりすればよい。
吊り紐７０は、本体部３１の紐通し孔６２ｂから奥側Ｙ２（他方の面の側）に通された後、訴求片６２の紐通し孔６２ｂから訴求面６２ａ側である手前側Ｙ１（一方の面の側）に通される。
図４（Ｂ）に示すように、収容状態において、吊り紐７０は、外側から内側に導かれる範囲では、訴求片６２及び第１カバー片４２に挟まれる。このため、外側に露出した吊り紐７０は、弛みが抑制される。なお、この弛みをより確実に抑制するために、露出した吊り紐７０は、訴求側部片６１の外面にテープ止め等してもよい。
【００２６】
訴求面６２ａの見え方について説明する。
上記構成により、訴求片６２が存在する領域では、吊り紐７０の大部分は、訴求片６２の奥側Ｙ２を通る。また。訴求片６２の手前側Ｙ１では、吊り紐７０の通る長さが短く、かつ、吊り紐７０の通る領域が訴求面６２ａの上側Ｚ２であって左右両端の領域である。このため、訴求面６２ａのうち吊り紐７０によって隠される面積は、小さい。
また、陳列装置１０がフック２に吊るされた状態では、吊り紐７０は、本体部３１の紐通し孔６２ｂからフック２までの範囲では、ほぼ直線状になろうとする。訴求片６２は、この吊り紐７０に沿って、傾斜する。また、ずり落ちたりすることが、この吊り紐７０によって抑制される。
【００２７】
これにより、陳列装置１０は、訴求領域の面積を大きくすることができ、かつ、陳列装置１０の手前側Ｙ１に位置する消費者の視認性を向上できる。このため、陳列装置１０は、訴求効果を向上できる。
【００２８】
（陳列装置１０の組み立て）
陳列装置１０の組み立て工程について説明する。
図７は、第１実施形態の陳列装置１０を展開した状態から、組み立てる工程を説明する斜視図である。
作業者は、以下の工程に従って、陳列装置１０を組み立てることができる。
最初に、各部材単体の状態から、収容状態の陳列装置１０を組み立てる工程を説明する。
（１）取り付け板２２にフック２１を取り付ける。フック２１を取り付け後には、フック２１を閉状態に変形させる。
（２）取り付け板２２及びスペーサ２３を、接着材、両面テープ等で接着する。
（３）スペーサ２３及び箱体３０の本体部３１を、接着材、両面テープ等で接着する。
（４）吊り紐７０を、取り付け板２２、スペーサ２３、本体部３１の各紐通し孔２２ｂ，２３ｂ，３１ｂに通し、その後、訴求片６２の紐通し孔６２ｂから通す。そして、吊り紐７０の端部を結ぶ。
【００２９】
（５）第２開閉部５０、本体部３１の陳列部２０側に回転する。また、吊り紐７０を下側Ｚ１に引っ張りながら、訴求開閉部６０を本体部３１の陳列部２０側に回転する。
（６）第１開閉部４０を本体部３１の陳列部２０側（一方の面の側）に回転して閉じる。
（７）挿入片４４をスリット４３に挿入して、２つの第１開閉部４０の間を係合することにより、第１開閉部４０が本体部３１に対して回転しないようにロックする。
【００３０】
図２に示すように、これにより、箱体３０は、折り畳み状態の陳列部２０を収容した状態になる。つまり、陳列装置１０は、収容状態に組み立てられる。
陳列装置１０は、収容状態では、以下の作用、効果を奏する。
・前述したように、第１側部片４１、第２側部片５１、訴求側部片６１の高さは、折り畳み状態の陳列部２０の厚みよりも大きく、陳列部２０を収容可能な長さである。このため、収容状態では、陳列部２０及び箱体３０が干渉することはない。
・運搬する場合には、箱状であり、かつ、第１開閉片４２よりも第２開閉片５２、訴求片６２を内側にした状態で、２つの第１開閉部４０が陳列装置１０の上下の領域でロックされている。これにより、各開閉片４０，５０，６０の閉状態が、安定して維持される。このため、配送伝票等を直接貼付して、そのまま運搬できる。そのため、袋、包装用紙等の梱包材が不要である。
・収容状態では、陳列部２０を収容し、また、訴求面６２ａが内側に向いた状態になるので、これらを汚損等から保護できる。また、陳列装置１０に他の物を積載しても、陳列部２０等を保護できる。
・厚みが薄く形成できる。また、全面がほぼフラットである。さらに、フック２１の係合爪２１ｃ，２１ｄ等が外部に突出しない。つまり、他の物に引っかかるような突出した部分がない。このため、保管、運搬時等の取扱いが容易である。
【００３１】
店舗等において、収容状態から露出状態にするには、以下の工程に従う。
（１１）挿入片４４をスリット４３から抜く。
（１２）第１開閉部４０を本体部３１の陳列部２０とは反対側（本体部の他方の面の側）を開く。
（１３）第２開閉部５０を開いた後、本体部３１の陳列部２０とは反対側に回転して閉じる。
（１４）訴求開閉部６０を開き、開いた状態を維持する。
（１５）第１開閉部４０を本体部３１の陳列部２０とは反対側に回転して閉じる。
（１６）挿入片４４をスリット４３に挿入して、２つの第１開閉部４０の間を係合することにより、２つの第１開閉部４０が本体部３１に対して回転しないようにロックする。
（１７）フック２１を開いて開状態とし、陳列部２０を陳列状態に変形する。
図１に示すように、以上により、陳列装置１０は、陳列部２０を露出して露出状態に形成される。
その後、店舗等の従業員（作業者）は、陳列装置１０は、店舗等の壁１に吊り下げる。
【００３２】
陳列装置１０は、露出状態では、以下の作用、効果を奏する。
・店舗等において、収容状態の陳列装置１０を露出状態へと、容易に変形作業できるので、容易に組み立てることができる。
・流通から店舗等での組み立てに至るに渡って廃棄物が発生しない（又はほとんどで発生しない）ので、店舗等での利便性がよく、また、環境負荷が小さい。
・フック２１の係合爪２１ｃ，２１ｄが取り付け板２２に係合しているので、フック２１は、例えば接着材等を用いて取り付けるよりも、取り付け板２２から脱落しにくい。このため、フック２１の耐荷重を向上できる。
このように、フック２１は、収容状態では外部に突出せず、かつ、露出状態では脱落しないように、取り付けできる。
なお、陳列装置１０の訴求効果は、前述した通りである。
【００３３】
以上説明したように、本実施形態の陳列装置１０は、保管、運搬時等における取扱いが容易であり、また、訴求効果を向上できる。
【００３４】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図８は、第２実施形態の陳列装置２１０の斜視図である。
図８（Ａ）は、陳列装置２１０が露出状態、陳列部２２０が陳列状態の図である。
図８（Ｂ）は、陳列装置２１０が露出状態、陳列部２２０が折り畳み状態の図である。
第２実施形態の箱体３０は、縦方向の長さのみ、第１実施形態とは異なる。また、陳列部２２０の形態が第１実施形態とは異なる。
陳列部２２０は、上下に配置された、折り畳み可能な２つの棚部２２１を備える。
棚部２２１の手前側Ｙ１の面は、訴求面２２１ｃである。
【００３５】
以下、陳列部２２０について、主に説明する。
図９から図１１は、第２実施形態の陳列装置２１０の組み立て工程を説明する図である。
図９（Ａ）に示すように、陳列部２２０は、１枚の紙の板材から形成される。この展開図のうちハッチング部分は、孔である。
陳列部２２０は、棚部２２１、側板２２２、背板２２３、糊しろ２２４が、折り罫を介して接続されている。
【００３６】
作業者は、以下の工程に従って、陳列装置２１０を組み立てることができる。
（１）図９（Ａ）、図９（Ｂ）に示すように、側板２２２、背板２２３を奥側Ｙ２に折り曲げる（矢印Ａ２１参照）。
（２）図９（Ｂ）に示すように、背板２２３及び糊しろ２２４の間を接着する（矢印Ａ２２参照）。
（３）図９（Ｂ）、図１０に示すように、棚部２２１の底板２２１ａを手前側Ｙ１に折り曲げる（矢印Ａ２３参照）。
（４）図１０に示すように、吊り紐７０を、背板２２３の紐通し孔２２３ａ、本体部３１の３１ｂに通し、その後、訴求片６２の紐通し孔６２ｂから通す。そして、吊り紐７０の端部を結ぶ。
（５）背板２２３及び本体部３１の間を接着する（矢印Ａ２４参照）。
（６）側板２２２を内側に折り曲げる（矢印Ａ２５参照）。
以上の工程により、陳列部２２０が折り畳まれて折り畳み状態に組み立てられる（図８（Ｂ）参照）。
陳列装置２１０を収容状態にする場合には、開閉片である２つの第１開閉部４０及び２つの第２開閉部５０を、第１実施形態と同様に、陳列部２２０を内側にして閉じればよい。
【００３７】
店舗等において、収容状態から露出状態にするには、以下の工程に従う。
（１１）第１実施形態と同様に、第１開閉部４０及び第２開閉部５０を、陳列部２２０が露出するように変形する。
（１２）図８（Ｂ）の状態の側板２２２を外側に広げて、陳列部２２０を図１０と同じ状態に変形する。
（１３）図１１（Ａ）に示すように、棚部２２１の底板２２１ａを内側に折り曲げる（矢印Ａ２６参照）。
（１４）図１１（Ｂ）に示すように、棚部２２１の先端２２１ｂを、背板２２３のポケット２２３ｂに挿入して、棚部２２１の底板２２１ａを、水平な状態で保持する。
以上の工程により、図８（Ａ）に示すように、箱体３０が露出状態に変形され、陳列部２２０が陳列状態に組み立てられる。
【００３８】
以上説明したように、本実施形態の陳列装置２１０は、陳列部２２０に棚部２２１に設けることができ、また、陳列部２２０の構成を簡単にできる。
【００３９】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００４０】
（変形形態）
実施形態において、陳列装置は、壁に吊るされる例を示したが、これに限定されない。例えば、陳列装置は、壁に立て掛けて設置してもよい。この場合には、吊り紐が必要ないので、構成を簡単にできる。
【符号の説明】
【００４１】
１０，２１０…陳列装置    ２０，２２０…陳列部    ３０…箱体    ３１…本体部    ３１ａ…長辺部    ３１ｂ…紐通し孔    ３１ｃ…一方の面    ３１ｅ…辺部    ４０…第１開閉部    ４１…第１側部片    ４２…第１カバー片    ４３…スリット    ４４…挿入片    ５０…第２開閉部    ５１…第２側部片    ５２…第２カバー片    ６０…訴求開閉部    ６１…訴求側部片    ６２…訴求片    ６２ａ…訴求面    ６２ｂ…紐通し孔    ７０…吊り紐    
【図１】
2015150048.tif 000003
【図２】
2015150048.tif 000004
【図３】
2015150048.tif 000005
【図４】
2015150048.tif 000006
【図５】
2015150048.tif 000007
【図６】
2015150048.tif 000008
【図７】
2015150048.tif 000009
【図８】
2015150048.tif 000010
【図９】
2015150048.tif 000011
【図１０】
2015150048.tif 000012
【図１１】
2015150048.tif 000013